(57)【要約】【課題】水流に逆って泳ぐ習性の魚類を養殖するのに水流強度可変装置を備え、流速の異なった水流を作り出すとともに、前記習性をもつ魚類を養殖するのに適応する環境をつくり出す装置も併設して、前記習性をもつ魚類を養殖するのに適する養殖槽を提供しようとするものである。【解決手段】一方側に水流拡散装置、水流方向可変装置を配した放出口とし、放出口に対向する他方側に捕護槽を配するとともに、前記捕護槽側と前記放出口側との間に、水質監視装置を備え、且つバイオカプセル装置、熱効換器を備えた循環路と、水流強度可変装置を配せて成る水循環路を以て連繋して成る横長の魚類養殖槽の、底板の所望の箇所から、魚類養殖槽外に設けた残餌回収槽、上澄水回収槽を介在させた流路を前記魚類養殖槽の所望の箇所に配設した。【選択図】    図１
2004215595.tif 000002
【特許請求の範囲】
【請求項１】
一方側に水流拡散装置、水流方向可変装置を配した放出口とし、放出口に対向する他方側に捕護槽を配し、前記捕護槽に片寄った側と前記放出口に片寄った側との間に、水質監視装置を備え、且つバイオカプセル装置、熱効換器を備えた循環路を設けるとともに、前記捕獲槽に片寄って設けた吸入口と、前記放出口とを水流強度可変装置を配せて成る水循環路を以て連繋して成る横長の魚類養殖槽の、
底板の所望の箇所から、魚類養殖槽外に設けた残餌回収槽、上澄水回収槽を介在させた流路を前記魚類養殖槽の所望の箇所に配設したことを特徴とする水流に逆って泳ぐ習性をもつ魚類の養殖槽。
【発明の詳細な説明】
【０００１】
【発明の属する技術分野】
本発明は、水流に逆って泳ぐ習性をもつ魚類を養殖するための養殖槽に関する。
【０００２】
【発明の属する技術分野】
これまで、水流に逆って泳ぐ習性をもつ魚類を養殖するために開発された養殖槽として波動成形装置を用いて養殖槽内に水流を生じさせ、その他水温調整装置を配して養殖槽層内の水温を調整することにした養殖槽と言うものはあった。
ところが、従来技術による養殖槽は、構造が複雑で、製造経費も嵩むだけでなく、養殖の効率性もよくないと言う不都合があった。
【０００３】
【発明が解決しようとする課題】
本発明は、従来技術の上記不都合を解消して、水流に逆って泳ぐ習性の魚類を養殖するのに適する構造が簡単で、製造経費も安価ですみ、しかも前記習性をもつ魚類の養殖環境を良好にするような環境として、前記習性をもつ魚類の生育魚類を理想な形で養殖した後に捕獲できるようにした水流に逆って泳ぐ習性をもつ魚類を養殖槽を提供しようとするものである。
【０００４】
【課題を解決するための手段】
一方側に水流拡散装置、水流方向可変装置を配した放出口とし、放出口に対向する他方側に捕護槽を配し、前記捕護槽に片寄った側と前記放出口に片寄った側との間に、水質監視装置を備え、且つバイオカプセル装置、熱効換器を備えた循環路を設けるとともに、前記捕獲槽に片寄って設けた吸入口と、前記放出口とを水流強度可変装置を配せて成る水循環路を以て連繋して成る横長の魚類養殖槽の、底板の所望の箇所から、魚類養殖槽外に設けた残餌回収槽、上澄水回収槽を介在させた流路を前記魚類養殖槽の所望の箇所に配設した水流に逆って泳ぐ習性をもつ魚類の養殖槽を提供しようとするものである。
【０００５】
【実施例】
本発明にかかる養殖槽１の構成を図１に基いて説明する。養殖槽１の原型は、横長の短巾型槽とする。
短巾型とした養殖槽１の横長方向の一方端側は、水を放出する放出口を備えた側とする。放出口は、養殖槽１の横長方向の一方端側のほぼ全体から水が分散された状態で放出される水流拡散装置２を配する。この装置からの放流によって養殖槽内の水流はむらのない水流とすることができる。
更に、放出口から放流される水の流れ方向を自由に調整できる水流方向可変装置を配する。
前記養殖槽１の放出口に対向する他方側には捕護槽９を配する。
【０００６】
前記養殖槽の底板は、捕護槽の側に向って樋上の溝を形成することが考えられる。
【０００７】
前記養殖槽の横長方向の他方側に近寄った底板には、魚類が排泄した糞、死骸、食べ残しの餌を排出する排出口３を設ける。養殖槽１の外側には残餌回収槽４を設ける。この排出口３と養殖槽外に設けた残餌槽４とを、残餌回収路５で継ぐ。残餌回収路５の内側には残餌センサー６を配する。
【０００８】
残餌回収槽４に回収された残餌の上澄水は、残餌回収槽４外に設けた上澄水回収槽７に流路（図示しない）を介して集める。上澄水回収槽７に集められた上澄水は、所定の処理を施して流路８を介して前記養殖槽１に還元する。
【０００９】
前記排出口３より更に短巾の横長養殖槽１の底板の捕護槽９方向に近寄った箇所には、該養殖槽１内の水を吸入する吸入口１０を設ける。
この吸入口１０と前記した放出口２とを、内側に水流強度を調整できる水流強度可変装置１１を配した水循環路１２で継ぐ。この水流強度可変装置をスクリュー方式を設えた装置とすることによって養殖槽内に理想的な水流が得られる。
【００１０】
前記養殖槽１には、場所は特定しないが、養殖槽の横長方向の一方側である放出口に近寄った箇所と他方側である捕護槽９に近寄った箇所に、他方側から一方側に向けて、該養殖槽１内の水を、浄化し、温度調節し、酸素を供給し各種水質監視装置１３を配した循環路１４を配置する。
【００１１】
更に、前記養殖槽１の他方側には、捕獲網を備えた集魚室である捕護槽９を設ける。その他、養殖槽１の所望の箇所に給餌装置１５を配する。
【００１２】
本発明の養殖槽１は、上記の構成となっているので、養殖槽１には養殖しようとする魚類が淡水魚であるか或は海水魚であるかによって、その魚類の種類によって淡水或は海水を所定の深さまで供給する。
水流に逆らって泳ぐ習性をもつ魚類にはいろいろな種類の魚類があると思うが、本発明の実施例の説明では、水流に逆らって泳ぐ習性をもつ魚類  である。車海老を例にとって説明する。
従って、車海老は水流のない養殖槽の中で養殖しようとしても、自然界で成育する海老のようには成長しない。
【００１３】
そこで、海老を養殖するには、まず、前記した養殖槽１に海水を所定の深さまで供給する。この海水供給によって、海水は、吸入口１０と水流拡散装置２を備えた放出口との間の水流強度可変装置１１を備えた水循環路１２を通して流れるようになる。また、排出口３から残餌回収路５を通って残餌回収槽４、上澄回収槽７を通って流路８を介して流れるようになる。この状態が設定された後、水流強度可変装置１１並に各種装置を稼動する。
【００１４】
この水流強度可変装置１１を稼動することにより、前記養殖槽１の横長方向一方側に形成した吸入口１０から海水を吸入し前記養殖槽１の放出口に向って、水循環路１２を通した海水の流れを生じさせ、水流拡散装置２を備えた放出口から放流させる。この放流による水の流れの力によって養殖槽１中に前記水循環路１２を通した水の循環流が生じる。即ち、養殖槽１中に長手方向の一方から他方に向けた流れが生じる。
【００１５】
この循環流の流れの強さは、前記水循環路１２に配した水流強度可変装置１１の稼動加減を調整することによって調整することができる。
【００１６】
養殖槽１の一方側に設けた放出口には養殖槽１の一方側の全体から均一の強さの流れを放出する水流拡散装置２を付けることによって、その水流をまんべんなく養殖槽内に放流することができる。また、可逆変換装置を併設することによってその放流の放流方向を自由に可変できる。
【００１７】
また、水質監視装置１３の一部を構成するバイオカプセル装置１３Ａを稼動することによって、養殖槽１内の海水を所定の基準を満たした海水とする。
【００１８】
この状態下で、稚魚を投入する。稚魚の成育状態に見合う餌を放出口２側に設けた給餌装置１５から投入する。
養殖槽１に投入された稚魚はその習性に従って放出口２側に向って泳ぐことになり投餌された餌を食べて成長する。排糞、残餌等は養殖槽１の底板に沈澱する。
この沈澱した排糞、残餌等は、養殖槽１の底板に滞積される。この滞積の押し流しは、養殖槽１内の水流の強さ、方向を前記した水流強度可変装置１１、水流拡散装置２の稼働をコントロールすることにより効率よく排口残餌口３に向って押し流すことができる。
【００１９】
これらは、残餌センサー６を稼動することによりその滞積状態をキャッチし、その滞積状態により、排出口３から排糞、残餌等を吸引して残餌回収槽４に集める。その上澄水は上澄水槽７に集める。
【００２０】
前記養殖槽１には、水循環路１２には酸素供給装置１６を配し、循環路１４には、バイオカプセル装置１３Ａを備え、更に熱交換器１３Ｂを備えた通路とし、これら装置を養殖槽内の水の状況に応じて稼動し、養殖槽内の水を、魚類の育成に最適な状態を維持する。
【００２１】
上記養殖槽１で所定の養殖期間を経過した後、所定の大きさまで成育した成育魚は集獲される。その集獲を行うため養殖槽の他方測に設けた捕獲槽９に成育魚を集める。その手段にはいろいろあるが例えば捕獲槽側に成育魚を追い込んで集穫する。
捕獲槽９には、捕獲網が配置されている。従って、捕獲槽に追い込まれた成育魚は、捕獲網を引き上げることによって集獲され、水上げされる。
【００２２】
前記した水質監視装置は、例えば残餌センサー、アンモニア測定器、容存酸素計、流量計量計、温度測定器、ＰＨ測定器等を配して成る。
【００２３】
【発明の効果】
本発明は、上記の如く構成してあるので、水流に逆らって泳ぐ魚類を、理想的な環境のもとで効率よく成育し、これを集穫することができる。
【図面の簡単な説明】
【図１】本発明の構成する部材の配置図。
【符号の説明】
１．    養殖槽
２．    水流拡散装置
３．    排出口
４．    残餌回収槽
５．    残餌回収路
６．    残餌センサー
７．    上澄水回収槽
８．    流路
９．    捕護槽
１０．  吸入口
１１．  水流強度可変装置
１２．  水循環路
１３．  水質監視装置
１４．  循環路
【図１】
2004215595.tif 000003